(57)【要約】【課題】基礎部材に対する支持部材の位置合わせを容易にする椅子固定構造を提供する。【解決手段】床Ｆに固定されるフランジ部１１と、フランジ部１１に立設された円筒状のホルダ部１４とを有する基礎部材１０と、椅子を載置する載置部３０と、ホルダ部１４に同軸的に挿入される円筒状の挿入部４０と、を有する支持部材２０と、を備える椅子固定構造１であって、支持部材２０は、位置決め部である第１突起部５１を有する位置決め具５０が挿入部４０に取り付けられ、基礎部材１０は、被位置決め部であって、第１突起部５１に係合する切欠部１５がホルダ部１４に形成されているものである。【選択図】図５
0003217118.tif 000002
【実用新案登録請求の範囲】
【請求項１】
床に固定されるフランジ部と、前記フランジ部に立設された円筒状のホルダ部とを有する基礎部材と、
椅子を載置する載置部と、前記ホルダ部に同軸的に挿入される円筒状の挿入部と、を有する支持部材と、
を備える椅子固定構造であって、
前記支持部材は、位置決め部を有する位置決め具が前記挿入部に取り付けられ、
前記基礎部材は、前記位置決め部に係合する被位置決め部が前記ホルダ部に形成されている、
ことを特徴とする椅子固定構造。
【請求項２】
前記位置決め部は、前記位置決め具における前記フランジ部側に形成された第１突起部であり、
前記被位置決め部は、前記ホルダ部における前記載置部側の先端に形成された切欠部である、
ことを特徴とする請求項１に記載の椅子固定構造。
【請求項３】
前記位置決め具は、第２突起部を有し、
前記挿入部は、前記第２突起部が嵌合される第２嵌合孔又は凹みを有する、
ことを特徴とする請求項１又は２に記載の椅子固定構造。
【請求項４】
前記位置決め具は、第３突起部を有し、
前記ホルダ部は、前記第３突起部が係合される第３係合孔又は凹みを有する、
ことを特徴とする請求項１から３までのいずれか１項に記載の椅子固定構造。
【請求項５】
前記位置決め具は、前記第３突起部を前記ホルダ部側に出没させる弾性変形可能な延出部を有する、
ことを特徴とする請求項４に記載の椅子固定構造。
【請求項６】
前記位置決め具は、前記第３突起部を前記ホルダ部側に出没させるネジ構造を有する、
ことを特徴とする請求項４に記載の椅子固定構造。
【請求項７】
前記位置決め具は、前記第３突起部を前記ホルダ部側に付勢する付勢部材を有する、
ことを特徴とする請求項４に記載の椅子固定構造。
【請求項８】
前記位置決め具は、スリットクランプ型又は半割クランプ型である、
ことを特徴とする請求項１から７までのいずれか１項に記載の椅子固定構造。
【考案の詳細な説明】
【技術分野】
【０００１】
本考案は、椅子の着脱を可能にする椅子固定構造に関する。
【背景技術】
【０００２】
例えば、パチンコ、パチスロ、ゲームなどの遊技場では、店内の模様替えを容易にしたり、老朽化した椅子を新しいものに交換したり、また、遊技者が車椅子利用者である場合に車椅子を進入させるために外したりすることを目的として、床に対して着脱可能に固定することのできる椅子が用いられることがある（特許文献１及び２参照）。
【先行技術文献】
【特許文献】
【０００３】
【特許文献１】登録実用新案第３２１２０５３号公報
【特許文献２】特開２００８−１４９００２号公報
【考案の概要】
【考案が解決しようとする課題】
【０００４】
しかしながら、特許文献１に記載の椅子固定構造では、基礎部材に対するポール（支持部材）の回転方向の位置を正確に決めることができない。一方、特許文献２に記載の椅子固定構造では、基礎部材に対するポールの回転方向の位置を正確に決めることができるものの、固定ピン又はボルトを取り付けるために設ける、基礎部材及び支持部材の取付孔の位置を正確に形成する必要があり、また、組み立てる場合でも、内側に挿入された支持部材の取付孔の位置は、外部から視認することができず、正確に位置合わせすることも困難であった。
【０００５】
そこで、本発明は、以上のような事情に鑑みてなされたものであり、その目的は、基礎部材に対する支持部材の位置合わせを容易にする椅子固定構造を提供することにある。
【課題を解決するための手段】
【０００６】
（１）本考案に係る一つの態様は、床に固定されるフランジ部と、前記フランジ部に立設された円筒状のホルダ部とを有する基礎部材と、椅子を載置する載置部と、前記ホルダ部に同軸的に挿入される円筒状の挿入部と、を有する支持部材と、を備える椅子固定構造であって、前記支持部材は、位置決め部を有する位置決め具が前記挿入部に取り付けられ、前記基礎部材は、前記位置決め部に係合する被位置決め部が前記ホルダ部に形成されているものである。
（２）上記（１）の態様において、前記位置決め部は、前記位置決め具における前記フランジ部側に形成された第１突起部であり、前記被位置決め部は、前記ホルダ部における前記載置部側の先端に形成された切欠部であってもよい。
（３）上記（１）又は（２）の態様において、前記位置決め具は、第２突起部を有し、前記挿入部は、前記第２突起部が嵌合される第２嵌合孔又は凹みを有してもよい。
（４）上記（１）から（３）までのいずれか１つの態様において、前記位置決め具は、第３突起部を有し、前記ホルダ部は、前記第３突起部が係合される第３係合孔又は凹みを有してもよい。
（５）上記（４）の態様において、前記位置決め具は、前記第３突起部を前記ホルダ部側に出没させる弾性変形可能な延出部を有してもよい。
（６）上記（４）の態様において、前記位置決め具は、前記第３突起部を前記ホルダ部側に出没させるネジ構造を有してもよい。
（７）上記（４）の態様において、前記位置決め具は、前記第３突起部を前記ホルダ部側に付勢する付勢部材を有してもよい。
（８）上記（１）から（７）までのいずれか１つの態様において、前記位置決め具は、スリットクランプ型又は半割クランプ型であってもよい。
【考案の効果】
【０００７】
本考案によれば、基礎部材に対する支持部材の位置合わせを容易にする椅子固定構造を提供することができる。
【図面の簡単な説明】
【０００８】
【図１】本考案に係る実施形態の椅子固定構造を示す斜視図である。
【図２】基礎部材を示す（ａ）斜視図、（ｂ）正面図である。
【図３】支持部材を示す概略断面図である。
【図４】位置決め具を示す斜視図である。
【図５】実施形態の椅子固定構造を示す（ａ）概略断面図、（ｂ）部分側面図である。
【図６】変形例１の位置決め具の斜視図である。
【図７】変形例１の位置決め具を取り付けた椅子固定構造を示す（ａ）概略断面図、（ｂ）部分側面図である。
【図８】変形例２の位置決め具を取り付けた椅子固定構造を示す概略断面図である。
【図９】変形例３の位置決め具を取り付けた椅子固定構造を示す概略断面図である。
【考案を実施するための形態】
【０００９】
以下、添付図面を参照して、本考案を実施するための形態（以下、実施形態という）について詳細に説明する。なお、実施形態の説明の全体を通して同じ要素には同じ符号を付している。
【００１０】
図１から図３を参照して、本考案に係る椅子固定構造１について説明する。
図１に示すように、椅子固定構造１は、遊技台の正面などの床Ｆに椅子Ｃを着脱可能に設置固定するものであり、基礎部材１０と支持部材２０とを備えている。
【００１１】
基礎部材１０は、床Ｆに固定されるフランジ部１１と、支持部材２０を保持するホルダ部１４とを有する。フランジ部１１は、図２に示すように、床Ｆに接地するフランジ基部１１ｂと、その中央部分に盛り上がった段部１１ｃとから構成されている。フランジ基部１１ｂと段部１１ｃとは、一枚の金属製円板をプレスなどで、表面が凸状になるように、中央の裏面を凹ませたものであり、段部１１ｃと床Ｆとの間には、隙間１３が確保される。段部１１ｃの有無や形状は基礎部材１０に求められる強度や材質又は意匠などを考慮して選択することができる。
【００１２】
フランジ基部１１ｂには、基礎部材１０を床Ｆに固定するための取付ボルトＢのような取付部材（図４参照）を挿通させる複数の取付孔１１ａが設けられている。複数の取付孔１１ａは、フランジ基部１１ｂの厚さ方向（上下方向）に沿って、フランジ基部１１ｂの周囲の近傍に貫設されている。取付孔１１ａは、椅子Ｃの使用者が体重を背もたれに掛けることを勘案して、使用者の背中側に１個を設けるほか、左右対称に配置された４個を含めた少なくとも５個（本実施形態では８個）の取付孔１１ａを設けることが好ましい。
【００１３】
このように、基礎部材１０は、複数の取付ボルトＢをそれぞれフランジ部１１に形成された複数の取付孔１１ａに挿通し、床Ｆに埋設された雌ネジアンカーなどに螺入することにより、床Ｆに固定される。
【００１４】
つぎに、ホルダ部１４は、フランジ部１１の段部１１ｃの上面１２中央に、上方に向けて延在するように立設された円筒状のものである。ホルダ部１４は、金属製パイプであり、例えば、溶接によりフランジ部１１と一体化されている。ホルダ部１４は、肉厚がフランジ部１１側から上端側まで均一であり、外周面１４ａ及び内周面１４ｂは円筒面を形成しているが、内周面１４ｂのフランジ部１１側が小さくなるテーパ形状（截頭円錐面）に形成してもよい。内周面１４ｂをテーパ形状とする場合、ホルダ部１４に同軸的に挿入される支持部材２０の挿入部４０も対応したテーパ形状に形成するとよい。
【００１５】
また、ホルダ部１４は、Ｕ字状に切り欠かれた切欠部１５が椅子Ｃ側の上端に形成されている。この切欠部１５は、後述する位置決め具５０を係合するもので、所定の幅及び深さの寸法で形成されている。
【００１６】
さらに、ホルダ部１４は、外周面１４ａ及び内周面１４ｂを貫通する貫通孔１６が形成されている。この貫通孔１６は、Ｌ字形状の固定ピン６０（又は固定ボルト）が挿通されるもので、（図５参照）、直径が３ｍｍ〜１０ｍｍの範囲内である。また、貫通孔１６の中心と、ホルダ部１４の底部に相当する段部１１ｃの上面１２との間の距離ａは、５ｍｍ〜１５ｍｍの範囲内にあるとよい。なお、貫通孔１６は、切欠部１５と略同一直線上（支持部材２０の中心軸に対して略同方向）に位置している。
【００１７】
一方、支持部材２０は、図３に示すように、椅子Ｃの脱着式の脚部を構成するもので、椅子Ｃを載置部３０と、基礎部材１０に挿入保持される挿入部４０と、を有する。載置部３０は、ポール本体３１と、ポール本体３１の上端の取付部３２とを含む。
【００１８】
ポール本体３１は、内部に収容されたブッシュ３３に、下方から摺動軸３４が挿入されている。摺動軸３４は、下側の軸端部に取り付けられた軸受３５で回動可能に軸支されている。なお、ポール本体３１は、ガス圧により上下昇降可能なものであってもよく、椅子Ｃを遊技機の正面に復帰させるオートリターン機能を有するものであってもよく、これらを併用するものであってもよい。
【００１９】
取付部３２は、先端に向かってテーパ形状に形成されており、椅子Ｃを取付部３２に取り付ける場合、取付部３２に嵌合部材３６が装着され、椅子Ｃに形成された取付孔（図示なし）に嵌合され、椅子Ｃの正面が、遊技台の正面と平行になるように、載置部３０（支持部材２０）がホルダ部１４（基礎部材１０）に保持される。なお、取付部３２の先端面などに椅子Ｃの取付方向を示すケガキ線などの印が刻設されてもよい。
【００２０】
そして、挿入部４０は、円筒形状の本体部４１と、本体部４１の上端に装着されるガイド部４２と、を含む。
【００２１】
本体部４１は、金属製パイプで形成されており、内部に軸支持部４３が設けられている。本体部４１は、ホルダ部１４の内径に対して、すきま嵌めになるように設定されている。この軸支持部４３は、上方側に摺動軸３４を軸支する軸受３５が配置され、下方側から摺動軸３４の軸端部を固定するようになっている。
【００２２】
また、本体部４１は、ホルダ部１４に挿入部４０が挿入された状態において、ホルダ部１４に形成された貫通孔１６と同じ高さに、貫通孔４４を有する。本体部４１の貫通孔４４は、直径が３ｍｍ〜１０ｍｍの範囲内であり、特に、ホルダ部１４の貫通孔１６の直径と同じであるとよい。
【００２３】
さらに、本体部４１は、貫通孔４４と略同一直線上の所定の位置に第２嵌合孔４５を有する。第２嵌合孔４５は、直径が４ｍｍ〜８ｍｍの範囲内であるとよい。なお、ホルダ部１４と挿入部４０との密着を防ぐために、本体部４１の挿入端側の外周面又はホルダ部１４の内周面１４ｂの少なくとも一方に、筋状の凹凸を形成してもよい。
【００２４】
つぎに、ガイド部４２は、プラスチック樹脂で形成された円筒形状のもので、端部がフランジ状になっている。また、ガイド部４２は、ポール本体３１の外周面を摺動可能にガイドするガイド面４２ａが内周面側に形成されており、ガイド面４２ａの内径はポール本体３１の外径と等しくなるように設定されている。
【００２５】
このように、支持部材２０は、ガイド部４２及び軸支持部４３で載置部３０を鉛直方向に支持している。
【００２６】
つぎに、図４を参照して、位置決め具５０について説明する。
位置決め具５０は、挿入部４０（本体部４１）に取り付けられるものである（図１，３参照）。位置決め具５０は、一部がスリット５０ａ切断された略リング状であって、挿入部４０に挿入して、セットネジ（図示なし）を締め付けることでスリット５０ａが狭められ、強固に締め付け固定できるスリットクランプ型のものが用いられる。
【００２７】
位置決め具５０は、位置決め部としての第１突起部５１が、本体から基礎部材１０（フランジ部１１）側に突出して形成されている。この第１突起部５１は、ホルダ部１４に形成された切欠部１５に係合することで、支持部材２０（挿入部４０）の基礎部材１０（ホルダ部１４）に対する回転方向（中心軸周り）の位置を決めることができる。
【００２８】
また、位置決め具５０は、内周側に突出する第２突起部５２を有している。この第２突起部５２は、挿入部４０に形成された第２嵌合孔４５に嵌合することで、位置決め具５０の支持部材２０（挿入部４０）に対する高さ方向及び回転方向の位置を決めることができる。
【００２９】
ただし、位置決め具５０は、挿入部４０を挟むように配置した２つの半割リングをセットネジで締め付けることで、互いに強固に締め付け固定する半割クランプ型であってもよい。この場合、第１突起部５１及び第２突起部５２は、同じ半割リングに形成するとよい。
【００３０】
ここで、椅子固定構造１の基礎部材１０及び支持部材２０の組み立て手順について、図５を参照して、説明する。なお、支持部材２０の挿入部４０及び載置部３０は、あらかじめ組み立てられているものとする。
【００３１】
まず、位置決め具５０に形成された第２突起部５２が、挿入部４０のポール本体３１に形成された第２嵌合孔４５に嵌合するように、位置決め具５０を支持部材２０の挿入部４０に取り付け、セットネジを締め付ける。
【００３２】
つぎに、支持部材２０の挿入部４０を基礎部材１０のホルダ部１４の内側に挿入する。そして、挿入部４０の先端が、ホルダ部１４の底（つまり、フランジ部１１の段部１１ｃ）に当接する手前で、位置決め具５０に形成された第１突起部５１が、ホルダ部１４に形成された切欠部１５に係合するように位置合わせしながら、挿入部４０の先端をホルダ部１４の底に当接させる。
【００３３】
ホルダ部１４で支持部材２０が保持されると、ホルダ部１４の貫通孔１６と、挿入部４０の貫通孔４４とは、それらの位置が一致しているため、固定ピン６０を簡単に差し込むことができる。この固定ピン６０により、基礎部材１０と支持部材２０とが簡単に分離できないようなる。
【００３４】
このように組み立てることで、支持部材２０を、遊技機の正面に対して所定の角度で床Ｆに設置することができる。また、支持部材２０が基礎部材１０に対して空回りすることがない。例えば、支持部材２０がオートリターン機能を有する場合、使用者が椅子Ｃを正面から通路側に回動させた場合でも、手が椅子Ｃから離れることで、オートリターン機能が作用し、椅子Ｃは正面に回動復帰する。
【００３５】
また、挿入部４０の端部は、ホルダ部１４の底に相当する段部１１ｃの上面１２に接触しており、段部１１ｃと床Ｆとの間には隙間１３があるから、椅子Ｃに利用者が座った際の荷重は、段部１１ｃの弾性変形により緩和することができる。
【００３６】
その後、椅子Ｃを取付部３２に取り付けたり、図示されない脚部カバーを取り付けたりするとよい。
【００３７】
逆に、支持部材２０を基礎部材１０から取り外す場合は、固定ピン６０を抜くだけで、支持部材２０をホルダ部１４から引き抜くことができるようになる。
【００３８】
以上説明したとおり、本考案に係る実施形態の椅子固定構造１は、床Ｆに固定されるフランジ部１１と、フランジ部１１に立設された円筒状のホルダ部１４とを有する基礎部材１０と、椅子Ｃを載置する載置部３０と、ホルダ部１４に同軸的に挿入される円筒状の挿入部４０と、を有する支持部材２０と、を備える椅子固定構造１であって、支持部材２０は、位置決め部である第１突起部５１を有する位置決め具５０が挿入部４０に取り付けられ、基礎部材１０は、被位置決め部であって、第１突起部５１に係合する切欠部１５がホルダ部１４に形成されているものである。これにより、位置決め具５０の第１突起部５１を切欠部１５に係合させるだけで、基礎部材１０に対する支持部材２０の位置合わせを容易にする椅子固定構造１を提供することができる。また、位置決め具５０は、フランジ部１１の外径よりも十分小さく、ホルダ部１４の外径と同程度の大きさであるため、省スペース化を維持することができる。さらに、支持部材２０の抜け止めする固定ピン６０は、基礎部材１０及び支持部材２０を貫通して取り付ける必要がなく、一方側の貫通孔１６及び貫通孔４４に差し込むだけでよくなり、組立作業性が向上する。
【００３９】
ここで、図６及び図７を参照して、変形例１の位置決め具１５０について説明する。
位置決め具５０は、第１突起部５１及び第２突起部５２を有するものであったが、変形例１の位置決め具１５０は、更に第３突起部１５３を有する点で異なっている。
【００４０】
第３突起部１５３は、床Ｆ側が傾斜面になっており、第１突起部５１の外側から下方に延出された延出部１５４に形成されている。つまり、延出部１５４には、第１突起部５１及び第３突起部１５３が形成されている。また、延出部１５４の先端は、更に外側に折り曲がったツマミ片１５５となっている。なお、変形例１の位置決め具１５０では、第１突起部５１、第２突起部５２及び第３突起部１５３が支持部材２０の中心軸に対して略同方向に位置しているが、これらの位置は同方向に限らない。
【００４１】
また、基礎部材１０のホルダ部１４には、第３突起部１５３に係合する第３係合孔１７が、切欠部１５と貫通孔１６との間に形成されている。
【００４２】
変形例１の位置決め具１５０を用いた、基礎部材１０及び支持部材２０の組み立て手順は、挿入部４０の先端がホルダ部１４の底に当接する手前までは、実施形態と同様である。その後、挿入部４０をホルダ部１４に挿入し続けると、第３突起部１５３は、ホルダ部１４に形成された切欠部１５を越えて、ホルダ部１４の外周面１４ａを摺動し、第３係合孔１７に到達し、第３突起部１５３及び第３係合孔１７が互いに係合する。
【００４３】
第３突起部１５３及び第３係合孔１７が係合することにより、基礎部材１０と支持部材２０とは、位置決め具１５０を介して係止されるため、これらが簡単に分離できないようなる。
【００４４】
逆に、支持部材２０を基礎部材１０から取り外す場合は、ツマミ片１５５を引くことにより、延出部１５４を弾性変形させ、第３突起部１５３を第３係合孔１７から離脱させた状態で、支持部材２０をホルダ部１４から引き抜くようにするとよい。
【００４５】
変形例１の位置決め具１５０でも、実施形態の位置決め具５０と同様に、基礎部材１０に対する支持部材２０の位置合わせを容易にする椅子固定構造１を提供することができる。また、変形例１の位置決め具１５０は第３突起部１５３を有し、第３突起部１５３を第３係合孔１７に係合させるため、実施形態のような固定ピン６０を別途使用するものよりも組立作業性が向上する。
【００４６】
つづいて、図８を参照して、変形例２の位置決め具２５０について説明する。
位置決め具１５０は、第１突起部５１、第２突起部５２及び第３突起部１５３を有し、これらが位置決め具１５０の本体に一体成形されていたが、変形例２の位置決め具２５０では、第３突起部２６３が本体（延出部２５４）とは別の部品として形成されている点で異なっている。
【００４７】
第３突起部２６３は、略ローレットボルト形状の固定ピン２６０の先端部として形成されている。固定ピン２６０は、第３突起部２６３以外に、ローレットが刻設されたツマミ片２６１と、雄ネジ部２６２とを有している。なお、第３突起部２６３は、円柱状に形成されている。
【００４８】
一方、位置決め具２５０の延出部２５４は、変形例１と同様に、第１突起部５１の外側から下方に延出されている。延出部２５４は、固定ピン２６０の雄ネジ部２６２に螺合する雌ネジ部２５５が形成されている。
【００４９】
変形例２の位置決め具２５０を用いた、基礎部材１０及び支持部材２０の組み立て手順は、挿入部４０の先端がホルダ部１４の底に当接するまでは、実施形態と同様である。その後、固定ピン２６０を回して、雄ネジ部２６２及び雌ネジ部２５５のネジ構造により固定ピン２６０を螺入していくと、第３突起部２６３は、ホルダ部１４に形成された第３係合孔１７に進入し、第３突起部２６３及び第３係合孔１７が互いに係合する。
【００５０】
第３突起部２６３及び第３係合孔１７が係合することにより、基礎部材１０と支持部材２０とは、位置決め具２５０を介して係止されるため、これらが簡単に分離できないようなる。
【００５１】
逆に、支持部材２０を基礎部材１０から取り外す場合は、固定ピン２６０を逆に回すことにより、第３係合孔１７から第３突起部２６３を退出（離脱）させればよい。なお、雄ネジ部２６２及び雌ネジ部２５５のネジ構造を、２条又は３条などの多条ネジとして、ツマミ片２６１の少ない回転回数（回転角度）で、第３突起部２６３を大きく出没させるようにしてもよい。あるいは、ネジ構造に替えてバヨネット構造で、固定ピン２６０を出没させてもよい。
【００５２】
変形例２の位置決め具２５０でも、実施形態及び変形例１の位置決め具５０，１５０と同様に、基礎部材１０に対する支持部材２０の位置合わせを容易にする椅子固定構造１を提供することができる。また、変形例２の位置決め具２５０は第３突起部２６３をネジ構造で出没させるため、変形例１のような位置決め具１５０自体の弾性変形を利用するものよりも耐久性に優れる。
【００５３】
最後に、図９を参照して、変形例３の位置決め具３５０について説明する。
変形例２の位置決め具２５０では、ネジ構造により固定ピン２６０の第３突起部２６３を出没させたが、変形例３の位置決め具３５０では、付勢部材３５６の付勢力により第３突起部３６３を出没させる点で異なっている。
【００５４】
第３突起部３６３は、略ローレットボルト形状の固定ピン３６０の先端部として形成されている。固定ピン３６０は、第３突起部３６３以外に、ローレットが刻設されたツマミ片３６１と、小径部３６２とを有している。なお、第３突起部３６３は、小径部３６２より直径の大きい円柱状に形成されている。
【００５５】
一方、位置決め具３５０の延出部３５４は、変形例１と同様に、第１突起部５１の外側から下方に延出されている。延出部３５４は、固定ピン３６０の小径部３６２を案内する段付きガイド孔３５５が形成されている。
【００５６】
また、位置決め具３５０は、コイルバネ、弾性体（ゴム体）などの伸縮自在な付勢部材３５６がガイド孔３５５に収容されている。そして、第３突起部３６３が付勢部材３５６で付勢されるように固定ピン３６０の小径部３６２を挿入した後、ツマミ片３６１をネジ又は溶接などにより一体化することで、第３突起部３６３に付勢力が加わっても、固定ピン３６０が位置決め具３５０から脱落しないように構成される。
【００５７】
変形例３の位置決め具３５０を用いた、基礎部材１０及び支持部材２０の組み立て手順は、挿入部４０の先端がホルダ部１４の底に当接する手前までは、変形例１と同様であり、挿入部４０をホルダ部１４に挿入し続けると、第３突起部３６３は、ホルダ部１４に形成された切欠部１５を越えて、ホルダ部１４の外周面１４ａを摺動し、第３係合孔１７に到達し、第３突起部３６３及び第３係合孔１７が互いに係合する。
【００５８】
第３突起部３６３及び第３係合孔１７が係合することにより、基礎部材１０と支持部材２０とは、位置決め具３５０を介して係止されるため、これらが簡単に分離できないようなる。
【００５９】
逆に、支持部材２０を基礎部材１０から取り外す場合は、ツマミ片３６１を引くことにより、第３突起部３６３を第３係合孔１７から離脱させた状態で、支持部材２０をホルダ部１４から引き抜くようにするとよい。このとき、ツマミ片３６１と延出部３５４との間の隙間にスペーサを挿入して、付勢部材３５６の付勢力を解除し、第３突起部３６３が突出状態にならないようにしておくとよい。
【００６０】
変形例３の位置決め具３５０でも、実施形態及び変形例１−２の位置決め具５０，１５０，２５０と同様に、基礎部材１０に対する支持部材２０の位置合わせを容易にする椅子固定構造１を提供することができる。また、変形例３の位置決め具３５０は第３突起部３６３を付勢部材３５６の付勢力により出没させるため、変形例２のような位置決め具２５０のネジ構造を使用するものよりも組立作業性が向上する。
【００６１】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本考案の技術的範囲に含まれ得ることが、実用新案登録請求の範囲の記載から明らかである。
【００６２】
上記実施形態では、位置決め具５０，１５０，２５０は、第２突起部５２を有していたが、第２突起部５２に替えて、挿入部４０の本体部４１に位置決め具５０，１５０，２５０を取り付けるためのケガキ線を刻設してもよい。ケガキ線の場合、目視による位置合わせになり、椅子Ｃを取り付ける角度の精度が多少悪化するが、誤差があっても５度未満になると考えられるから、特に問題とならない。
【００６３】
上記実施形態では、切欠部１５、第２嵌合孔４５及び第３係合孔１７は、各部材を貫通するように形成されていたが、貫通することなく凹ませた、切欠部１５、第２嵌合凹み４５及び第３係合凹み１７として形成してもよい。なお、「嵌合」は、「係合」よりもガタツキが少ない状態で嵌り合うか、係り合うか、係止することを意味するが、第２嵌合孔４５が第２係合孔４５であってもよく、第３係合孔１７が第３嵌合孔１７であってもよい。
【符号の説明】
【００６４】
１      椅子固定構造
１０    基礎部材
１１  フランジ部、１１ａ  取付孔、１１ｂ  フランジ基部、１１ｃ  段部、１２  上面  １３  隙間
１４  ホルダ部、１４ａ  外周面、１４ｂ  内周面、１５  切欠部（被位置決め部）、１６  貫通孔、１７  第３係合孔（第３係合凹み）
２０    支持部材
３０  載置部、３１  ポール本体、３２  取付部、３３  ブッシュ、３４  摺動軸、３５  軸受、３６  嵌合部材
４０  挿入部、４１  本体部、４２  ガイド部、４２ａ  スライド面、４３  軸支持部、４４  貫通孔、４５  第２嵌合孔（第２嵌合凹み）
５０    位置決め具
５１  第１突起部（位置決め部）、５２  第２突起部
６０    固定ピン
１５０    位置決め具
１５３  第３突起部、１５４  延出部、１５５  ツマミ片
２５０  位置決め具
２５４  延出部、２５５  雌ネジ部
２６０  固定ピン
２６１  ツマミ片、２６２  雄ネジ部、２６３  第３突起部
３５０  位置決め具
３５４  延出部、３５５  ガイド孔  ３５６  付勢部材
３６０  固定ピン
３６１  ツマミ片、３６２  小径部、３６３  第３突起部
Ｆ      床、Ｃ  椅子、Ｂ  取付ボルト
【図１】
0003217118.tif 000003
【図２】
0003217118.tif 000004
【図３】
0003217118.tif 000005
【図４】
0003217118.tif 000006
【図５】
0003217118.tif 000007
【図６】
0003217118.tif 000008
【図７】
0003217118.tif 000009
【図８】
0003217118.tif 000010
【図９】
0003217118.tif 000011